(57)【要約】【課題】少ない空間でも被拘束物の屈曲性能を低下させずに配線時の被拘束物の反発力を低減し、配線の作業性能と安全性を向上させた高品質な固定具を提供する。【解決手段】本体上部部品１ａと本体下部部品１ｂとで形成される電線等の被拘束物６を配する中空部２と、中空部２を複数に分割するとともに被拘束物６をガイドする分割軸４と、分割軸４とで被拘束物６を保持する固定軸３と、本体上部部品１ａと本体下部部品１ｂとを固定する固定機構（フック部３ａ、固定部１５）とを備え、前記固定機構は、被拘束物６を中空部２内に直線状に並べてまとめると同時に中空部２の幅を決定する構成としたことで、薄いスペースにも被拘束物６の屈曲性能を低下させずに屈曲時の被拘束物６の反発力を低減し、配線の作業性能と安全性を向上させることができる。【選択図】図１
2014116345.tif 000002
【特許請求の範囲】
【請求項１】
第１の部材と第２の部材とで形成される電線等の被拘束物を配する中空部と、前記中空部を複数に分割するとともに被拘束物をガイドする分割軸と、前記分割軸とで被拘束物を保持する固定軸と、前記第１の部材と前記第２の部材とを固定する固定機構とを備え、前記固定機構は、被拘束物を前記中空部内に直線状に並べてまとめると同時に前記中空部の幅を決定する構成とした固定具。
【請求項２】
前記固定機構は、前記第１の部材に設けたフック部と前記第２の部材に設けた固定部で構成した請求項１記載の固定具。
【請求項３】
前記固定機構は、前記第１の部材に設けたフック部と前記第２の部材に設けた固定部の少なくとも一方を複数設けて、前記中空部の幅を調整可能とした請求項２記載の固定具。
【請求項４】
前記中空部に配される被拘束物の動きを抑制する補助機構を備えた請求項１〜３のいずれか１項に記載の固定具。
【請求項５】
被拘束物の接続先が収納される収納部品に取り付け可能な構成を備えた請求項１〜４のいずれか１項に記載の固定具。
【請求項６】
前記第２の部材は、自身に前記収納部品に対し位置規制可能な取付固定機構を備えた請求項５記載の固定具。
【請求項７】
前記固定機構は、前記第１の部材と前記第２の部材との固定後、再度固定解除可能な構成とした請求項１〜６のいずれか１項に記載の固定具。
【発明の詳細な説明】
【技術分野】
【０００１】
本発明は、電線等を拘束する結束具に関する。より詳しくは、本発明は、結束具の中でも電線等のガイドと固定を目的とした固定具の形状構成に関する。
【背景技術】
【０００２】
従来この種の固定具は、図１２（ａ），（ｂ）に示すように、電線等の被拘束物６を巻くことで結束する為、帯状の拘束部１３を本体１２に有しており、拘束部１３で被拘束物６を隙間無くひとまとめにすることで被拘束物６のばらけを防止している。拘束部１３は締結部１４と一体となっており、１部品単独での締結を可能としている。固定具は電線等の被拘束物６を本体１２に構成された拘束部１３によってひとまとめにして拘束部１３内に収束し、拘束部１３を締結部１４により締結してから、拘束部１３の余り部分を除去する。拘束部１３は指向性を持つ構造となっており、一旦結束した後は強固にその締結を保持するように構成されている。
【０００３】
拘束部１３を締結する締結部１４には被拘束物６を位置規制する為に他部品への固定を可能とする固定部（図示しない）が設けられ、前記固定部（図示しない）によって被拘束物６を指定位置へ固定することが可能な構造としている（例えば、特許文献１参照）。
【先行技術文献】
【特許文献】
【０００４】
【特許文献１】特開２００８−３９１９０号公報
【発明の概要】
【発明が解決しようとする課題】
【０００５】
しかしながら、このような従来の固定具では、被拘束物６を拘束部１３により収束し、被拘束物６をまとめることにより被拘束物６がばらけることを防止することが主たる目的であることから、被拘束物６は拘束部１３によって収束時に中心部から円形状に近くなるよう構成されており、薄いスペースへの配線が困難であったり、被拘束物６の枝分かれ的な配置には複数の固定具や複雑な構成が必要であったりと狭い空間での使用には困難な点があった。また、被拘束物６をガイドする為にはガイド部の直近での締結が必要であり、小スペース内での被拘束物６の屈曲に大きな力を要したり、被拘束物６を収納する部品側に対して強い反発力が残ったりして被拘束物６の屈曲や断線、或いは表面被覆の破損等により安全性を損なう恐れがあるという課題も有していた。
【０００６】
本発明は、上記従来の課題を解決するもので、被拘束物を中空部に直線状に拘束し、被拘束物の屈曲性能を減少させずに小スペースへの配線を可能とすることで配線の作業性を向上させると共に、被拘束物の収納部品への反発力を低減し、配線の安全性を向上させた、高品質な固定具を提供することを目的とする。
【課題を解決するための手段】
【０００７】
本発明は上記目的を達成するために、第１の部材と第２の部材とで形成される電線等の被拘束物を配する中空部と、前記中空部を複数に分割するとともに被拘束物をガイドする分割軸と、前記分割軸とで被拘束物を保持する固定軸と、前記第１の部材と前記第２の部材とを固定する固定機構とを備え、前記固定機構は、被拘束物を前記中空部内に直線状に並べてまとめると同時に前記中空部の幅を決定する構成とした固定具である。
【０００８】
これにより、被拘束物の屈曲性能を低下させずに、小スペースへの配線時の被拘束物の
収納部品への反発力を低減し、配線の作業性能と安全性を向上させた固定具を実現可能とする。
【発明の効果】
【０００９】
本発明の固定具によれば、被拘束物を直線状に揃えて拘束することができ、薄いスペースへの複数配線が可能となる。同時に小スペースでの配線にも被拘束物の屈曲性能を減少させることなく配線することができるため、被拘束物の収納部品への反発力を低減し配線の作業性と安全性を向上させた高品質な固定具を提供することができる。
【図面の簡単な説明】
【００１０】
【図１】本発明の実施の形態１における固定具の部品締結状態の正面図
【図２】本発明の実施の形態１における固定具の部品締結状態の側面図
【図３】本発明の実施の形態１における固定具の上部部品の正面図
【図４】本発明の実施の形態１における固定具の上部部品の上面図
【図５】本発明の実施の形態１における固定具の下部部品の正面図
【図６】本発明の実施の形態１における固定具の下部部品の上面図
【図７】本発明の実施の形態１における固定具の収納部品への取付状態を示す側面断面図
【図８】本発明の実施の形態１における固定具の収納部品への取付状態を示す斜視図
【図９】本発明の実施の形態１における固定具の収納部品への取付状態を示す要部拡大斜視図
【図１０】本発明の実施の形態１における固定具の被拘束物を拘束した状態を示す正面図
【図１１】本発明の実施の形態１における固定具の下部部品の収納部品への取付時の上面図
【図１２】（ａ）従来の固定具の正面図（ｂ）同固定具の被拘束物拘束時の側面図
【発明を実施するための形態】
【００１１】
第１の発明は、第１の部材と第２の部材とで形成される電線等の被拘束物を配する中空部と、前記中空部を複数に分割するとともに被拘束物をガイドする分割軸と、前記分割軸とで被拘束物を保持する固定軸と、前記第１の部材と前記第２の部材とを固定する固定機構とを備え、前記固定機構は、被拘束物を前記中空部内に直線状に並べてまとめると同時に前記中空部の幅を決定する構成としたことにより、被拘束物の屈曲性能を低下させずに、小スペースへの配線時の被拘束物の収納部品への反発力を低減し、配線の作業性能と安全性を向上させた高品質な固定具が実現できる。
【００１２】
第２の発明は、上記第１の発明において、前記固定機構は、前記第１の部材に設けたフック部と前記第２の部材に設けた固定部で構成したことにより、前記中空部は被拘束物を直線的に並べて固定可能な幅を確保することができ、薄いスペースへの配線が可能となる。また、小スペースへの配線時の被拘束物の収納部品への反発力を低減し、配線の作業性能と安全性を向上させることができる。さらに、フック部が固定部に係止された状態では、容易に係止が解除されず、中空部の幅を保ったまま固定機構における連結が維持されるので、被拘束物の拘束を安定して維持することができる。
【００１３】
第３の発明は、上記第２の発明において、前記固定機構は、前記第１の部材に設けたフック部と前記第２の部材に設けた固定部の少なくとも一方を複数設けて、前記中空部の幅を調整可能としたことにより、被拘束物の本数や断面の形状寸法に幅広く対応できるとともに、被拘束物の屈曲性能を低下させずに、小スペースへの配線時の被拘束物の収納部品への反発力を低減し、配線の作業性能と安全性を向上させた高品質な固定具が実現できる。
【００１４】
第４の発明は、上記第１〜第３のいずれかの発明において、前記中空部に配される被拘束物の動きを抑制する補助機構を備えたことにより、被拘束物の中空部への配置を容易にするとともに、中空部近傍における被拘束物の上下方向の動きを抑制することができ、被拘束物の屈曲性能を低下させずに、小スペースへの配線時の被拘束物の収納部品への反発力を低減し、配線の作業性能と安全性を向上させることができる。
【００１５】
第５の発明は、上記第１〜第４のいずれかの発明において、被拘束物の接続先が収納される収納部品に取り付け可能な構成を備えたことにより、固定具を被拘束物の配線の安定的な基点として、被拘束物を接続先へガイドすることができ、被拘束物の屈曲性能を低下させずに、小スペースへの配線時の被拘束物の収納部品への反発力を低減させることができる。
【００１６】
第６の発明は、上記第５の発明において、前記第２の部材は、自身に前記収納部品に対し位置規制可能な取付固定機構を備えたことにより、被拘束物の接続先が収納された収納部品に位置規制された状態でワンタッチで取り付けられ、被拘束物の配線の基点として固定することができるので、被拘束物の屈曲性能を低下させずに、小スペースへの配線時の被拘束物の収納部品への反発力を低減させることができる。また、収納部品に対する位置規制可能な取付固定機構を構成する要素をすべて第２の部材に設けたことにより、第２の部材のみ先に収納部品に固定した後、被拘束物を拘束した状態で第１の部材を連結する等、被拘束物の拘束作業の自由度を向上させることができる。
【００１７】
第７の発明は、上記第１〜第６のいずれかの発明において、前記固定機構は、前記第１の部材と前記第２の部材との固定後、再度固定解除可能な構成としたことで、被拘束物の拘束作業の前後に関わらず被拘束物を複数の中空部に分配したり接続先へ自由に配線することができる。また、小スペースへの配線時の被拘束物の収納部品への反発力を低減し、配線の作業性能と安全性を向上させた高品質な固定具が実現できる。
【００１８】
以下、本発明の実施の形態について、図面を参照しながら説明する。なお、この実施の形態によって本発明が限定されるものではない。
【００１９】
（実施の形態１）
図１は、本発明の実施の形態１における固定具の部品締結状態の構成を示した正面図である。図２は、同固定具の部品締結状態の側面図である。図３は、同固定具の上部部品１ａの正面図である。図４は、同固定具の上部部品１ａの上面図である。図５は、同固定具の下部部品１ｂの正面図である。図６は、同固定具の下部部品１ｂの上面図である。図７は、同固定具の収納部品への取付状態を示す側面断面図である。図８、図９、図１０及び図１１は、同固定具を収納部品へ取り付けた状態を示している。
【００２０】
図１及び図２において、電線等の被拘束物６を拘束する固定具は難燃性樹脂によって構成され、本体１に中空部２が設けられている。本体１は中空部２を構成するための上部部品１ａ（第１の部材）と下部部品１ｂ（第２の部材）に分離可能に構成されており、上部部品１ａの固定軸３によって連結される。
【００２１】
上部部品１ａは、図３及び図４に示すように、固定軸３と被拘束物６の上下方向の動きを抑制するガイド壁５を有し、固定軸３により下部部品１ｂと連結される。
【００２２】
下部部品１ｂは、図５及び図６に示すように、自身に、回路基板ケース等の収納部品１０（図８）への取り付けに際し前後左右の動きを抑制する位置規制枠８と上下の動きを抑制する取付フック９より成る取付固定機構を有している。また、下部部品１ｂは、上部部
品１ａの固定軸３によって上部部品１ａと連結される。
【００２３】
被拘束物６を中空部２内に直線状に並べてまとめた状態で上部部品１ａと下部部品１ｂとを連結、固定し、本体１の中空部２の幅（図１における上下方向）を決定する固定機構の構成について説明する。
【００２４】
上部部品１ａの固定軸３は、図３に示すように、左右対称位置に一対設けられており、その先端部にフック部３ａを有している。フック部３ａは、左右の固定軸３で互いに左右対称となるように、いずれも外側を向いて形成されている。
【００２５】
一方、下部部品１ｂには、図５に示すように、上部部品１ａを上方から連結する時にフック部３ａと対向する位置に、左右一対の固定部１５が設けられている。この固定部１５には、その下方にフック部３ａが嵌合されて係止される係止部１５ａと、上部に上部部品１ａの固定軸３が弾性変形してフック部３ａの挿入を容易にするための傾斜部１５ｂとを備えている。これらの固定部１５も左右対称に構成されている。
【００２６】
以上のように、被拘束物６を中空部２内に直線状に並べてまとめた状態で上部部品１ａと下部部品１ｂとを連結、固定し、本体１の中空部２の幅を決定する固定機構は、上部部品１ａの固定軸３のフック部３ａと下部部品１ｂの固定部１５とで左右に一対構成されており、係止された状態では容易に係止が解除されず、中空部２の幅を保ったまま上部部品１ａと下部部品１ｂとの連結が維持される構成である。
【００２７】
さらに、図示は省略するが、上部部品１ａのフック部３ａと下部部品１ｂの固定部１５の少なくとも一方を上下方向に複数設ければ、係止位置を選択して中空部２の幅を調整可能に構成することができる。
【００２８】
また、上記固定機構は、上部部品１ａの弾性変形可能な固定軸３の先端部のフック部３ａを下部部品１ｂの係止部１５ａに係止して固定する構成としてあるため、固定後も、再度固定解除可能な構成である。左右一対の固定軸３を指または器具で内側に弾性変形させ、係止を解除した状態で上部部品１ａを引き抜けば、上部部品１ａと下部部品１ｂとの連結、固定が解除され、被拘束物６を複数の中空部２に再分配したり接続先１１へ自由に配線し直したりすることができる。
【００２９】
中空部２は分割軸４により複数（本実施の形態では２個）に分割され、分割軸４と固定軸３によって被拘束物６を保持し、拘束する。中空部２の幅は拘束する被拘束物６の厚みによって調整される。中空部２での拘束は、被拘束物６のガイドが主たる目的の場合は中空部２で被拘束物６を固定する必要はなく、隙間的に余裕を持たせる構成としてもよい。
【００３０】
分割軸４は１本である必要はなく、被拘束物６の配線の振り分けによってその数を変更してもよい。分割軸４は上部部品１ａに構成され、下部部品１ｂの取付穴７に差し込まれて固定する。但し、分割軸４の構成を上部部品１ａに限定するものではなく、下部部品１ｂや他部品にて構成してもよい。分割軸４は中空部２の中央にある必要はなく、被拘束物６の量に合わせて調整しても良い。
【００３１】
ガイド壁５（補助機構）が拘束部である中空部２の前後に備えられ、それぞれ被拘束物６の上下方向の動きを抑制する。動きを抑制するものは中空部２を通過した被拘束物６に限らず、近傍を通過する配線に活用してもよい。
【００３２】
被拘束物６は上部部品１ａの分割軸４によって指定位置毎に振り分けられ、上部部品１ａが固定軸３によって下部部品１ｂと連結されることにより形成された中空部２内に配置
される。
【００３３】
図７〜図１０に示すように、被拘束物６を拘束した固定具である本体１は、被拘束物６の接続先１１が収納される回路基板ケース等の収納部品１０の開口部１０ａに順不同に取り付けられ、被拘束物６を接続先１１へガイドする。固定具の本体１は、位置規制枠８と取付フック９によって被拘束物６の収納部品１０の開口部１０ａに位置規制された状態にワンタッチで取り付られ、被拘束物６の配線の基点として固定される。
【００３４】
この際、図７及び図１１に示すように、下部部品１ｂの位置規制枠８が収納部品１０の側壁部１０ｂに突出させて設けた凸部１０ｃに嵌合し、取付フック９が側壁部１０ｂに係止されることにより、本体１は各方向への移動を規制された状態で収納部品１０に固定される。
【００３５】
また、収納部品１０に対する位置規制可能な取付固定機構を構成する位置規制枠８と取付フック９を共に下部部品１ｂに設けたので、図１１に示すように、下部部品１ｂのみ先に収納部品１０に固定した後、被拘束物６を拘束した状態で上部部品１ａを下部部品１ｂに連結するという手順で被拘束物６の拘束作業を行うことも可能である。
【００３６】
なお、本実施の形態では、上部部品１ａと下部部品１ｂとの固定機構は、上部部品１ａの固定軸３と下部部品１ｂの固定部１５とで構成される固定軸方式としたが、フック形式やヒンジ形式、回転軸式や閂式であっても良い。
【００３７】
また、固定軸３の長さが異なる上部部品１ａを複数種類用意しておけば、中空部２に拘束したい被拘束物６の量や拘束の程度に応じて最適なものを選択することができる。また、下部部品１ｂも取り付け対象となる収納部品１０の形状に合わせて複数種類用意しておけば、上部部品１ａとの組み合わせによって、自由度の高い固定具を実現することができる。
【００３８】
以上のように、本発明にかかる固定具は、固定具の本体１の中空部２によって直線状に並べて拘束された被拘束物６は円形状の束にならないため、狭いスペースである収納部品１０の開口部１０ａへの被拘束物６の配線を補助する。また、この構成は被拘束物６の屈曲性能を阻害しない為、開口部１０ａの内外での小スペースへの配線においても被拘束物６の配線を補助する。
【００３９】
なお、本実施の形態では、固定具の本体１は高電流域を想定して難燃性樹脂を成形して構成したが、必ずしも樹脂製である必要はなく金属やゴムで構成しても良く、少なくとも中空部２の固定と分割軸４が構成されていれば、その効果を得ることができる。
【産業上の利用可能性】
【００４０】
以上のように、本発明にかかる固定具は、小スペースへの複数の配線が可能で、小スペースでの配線の反発力が小さく、安全性の高い高品質な固定具であり、一般的、機械的な配線の固定に適用できる。
【符号の説明】
【００４１】
１  本体
１ａ  上部部品（第１の部材）
１ｂ  下部部品（第２の部材）
２  中空部
３  固定軸
３ａ  フック部（固定機構）
４  分割軸
５  ガイド壁（補助機構）
６  被拘束物
７  取付穴
８  位置規制枠（取付固定機構）
９  取付フック（取付固定機構）
１０  収納部品
１０ａ  開口部
１０ｂ  側壁部
１０ｃ  凸部
１１  接続先
１５  固定部（固定機構）
１５ａ  係止部
１５ｂ  傾斜部
【図１】
2014116345.tif 000003
【図２】
2014116345.tif 000004
【図３】
2014116345.tif 000005
【図４】
2014116345.tif 000006
【図５】
2014116345.tif 000007
【図６】
2014116345.tif 000008
【図７】
2014116345.tif 000009
【図８】
2014116345.tif 000010
【図９】
2014116345.tif 000011
【図１０】
2014116345.tif 000012
【図１１】
2014116345.tif 000013
【図１２】
2014116345.tif 000014